(57)【特許請求の範囲】
【請求項１】
記事テキストデータの入力及び校正作業を行う記事入力／校正端末器と、
前記記事入力／校正端末器から送られてくる記事テキストデータを格納する記事サーバと、
画像データの入力及び加工作業を行う画像入力／加工端末器と、
前記画像入力／加工端末器から送られてくる画像データを格納する画像サーバと、
前記記事サーバ及び前記画像サーバにそれぞれ格納されている記事テキストデータ及び画像データを用いてレイアウト処理を行う組版端末器と、
前記組版端末器のレイアウト処理により作成された組版ファイルデータを格納する組版サーバと、
を備え、これら各端末器及び各サーバがネットワークに接続されている新聞制作システムにおいて、
前記記事入力／校正端末器及び前記組版端末器は、前記記事テキストデータに対してレイアウト保留開始符号及びレイアウト保留終了符号の付加を行う保留符号付加手段を有しており、
前記組版端末器は、前記レイアウト処理を実行する際に、このレイアウト保留開始符号及びレイアウト保留終了符号間の記事テキストデータをレイアウト対象から除外すると共に、前記レイアウト保留開始符号及びレイアウト保留終了符号間の記事テキストデータをディスプレイに表示させないようにすることが可能なものであり、
更に、前記組版端末器は、前記レイアウト保留開始符号の直後にレイアウト保留無効符号の付加を行う保留無効符号付加手段を有しており、前記レイアウト処理を実行する際に、このレイアウト保留無効符号が付加されている場合は、前記レイアウト保留開始符号及びレイアウト保留終了符号間の記事テキストデータをレイアウト対象とする、
ことを特徴とする新聞制作システム。
【請求項２】
前記組版端末器は、前記レイアウト処理を実行する際に、前記レイアウト保留無効符号が付加されている場合に、前記レイアウト保留開始符号及びレイアウト保留終了符号間の記事テキストデータをこれらの符号及び前記レイアウト保留無効符号と共にディスプレイに表示させることが可能なものである、
ことを特徴とする請求項１記載の新聞制作システム。
【発明の詳細な説明】
【０００１】
【発明の属する技術分野】
本発明は新聞制作システムに係り、より詳しくは、新聞制作システムのレイアウト処理の技術に関するものである。
【０００２】
【従来の技術】
図９は、従来の新聞制作システムの構成例を示すブロック図である。この図において、ネットワーク１に記事入力／校正端末器２、画像入力／加工端末器３、組版端末器４、大刷プリンタ５、及び版下プリンタ６等の各種端末器及びプリンタが接続されており、また、記事サーバ７、画像サーバ８、及び組版サーバ９等の各種サーバが接続されている。
【０００３】
記事入力／校正端末器２は、オペレータの入力操作により記事テキストデータの入力や、入力した記事に対する校正作業を行うためのものである。画像入力／加工端末器３は、新聞紙面に載せる写真についての画像入力や、入力した画像に対する加工処理を行うためのものである。組版端末器４は、オペレータの操作によって新聞紙面に載せる記事や画像等についてのレイアウト処理を行うためのものである。なお、この組版端末器４も記事入力／校正端末器２と同様の校正機能を有している。
【０００４】
記事サーバ７は、記事入力／校正端末器２からの記事テキストデータや、ネットワーク１を介して外部から送られてくる記事テキストデータを蓄積する。記事サーバ７に蓄積されたデータは、オペレータの指示によって組版サーバ９に送信することが可能であるが、この記事サーバ７は自動送信機能を有しており、この自動送信機能によっても蓄積データを組版サーバ９に送信することが可能である。
【０００５】
同様に、画像サーバ８は、画像入力／加工端末器３からの画像データや、ネットワーク１を介して外部から送られてくる画像データを蓄積し、この蓄積データをオペレータの指示又は自動送信機能に基づいて組版サーバ９に送信することが可能になっている。
【０００６】
組版サーバ９は、記事サーバ７及び画像サーバ８からのデータを蓄積し、組版端末器４を介したオペレータからの要求に応答してこの蓄積データを組版端末器４に送信するようになっている。組版端末器４では、組版サーバ９から送られてくるデータを用いてレイアウト処理が行われるが、このレイアウト処理の結果も組版サーバ９に蓄積されるようになっている。
【０００７】
組版サーバ９に蓄積されたデータは、また、組版端末器４からの大刷／版下指示により紙面出力サーバ１０に送られるようになっている。そして、紙面出力サーバ１０は、組版サーバ９からの組版データを編集してこれらをドットデータに展開する。大刷プリンタ５及び版下プリンタ６は、この展開されたドットデータを用いて大刷や版下を出力する。なお、版下出力時は、組版端末器４からの指定に基づき、例えば、Ｃ版、Ｍ版、Ｙ版、Ｋ版等の色版の出力やモノクロ版のみの出力、あるいはＣ版、Ｍ版、Ｙ版、Ｋ版及びモノクロ版の同時出力を行えるようになっている。
【０００８】
【発明が解決しようとする課題】
ところで、新聞記事の作成は締め切り時間に追われるために、事実確認が途中までしか取れていない事象についての記事や同一事象に対する複数の結果についての記事を予め作成しておき、締め切り時間間際のレイアウト処理によってこれらの記事を取捨選択するという手法がしばしば採用される。
【０００９】
一方、新聞紙面のレイアウト対象となる範囲は、記事テキストデータ列の本文始め符号から本文終わり符号までの範囲であるが、１つの記事テキスト中に、事実確認が取れている掲載可能な部分（レイアウト可能記事）と事実確認が取れていない掲載不可能な部分（レイアウト保留記事）とを混在させることはできないため、これらの部分をそれぞれ別個の記事テキストとして記載するようにしている。この場合、レイアウト可能記事とレイアウト保留記事との内容が全く異なるものであれば別個の記事テキストとして記載してもレイアウト処理上それほど支障は生じないが、記事内容の相違が僅かなものであるときにはレイアウト処理が繁雑なものとなり徒に処理時間を費やすことになる。
【００１０】
また、レイアウト可能な記事テキストにメモ書き程度の僅かな記載を付加すれば別個の記事テキストとすることを回避できるような場合は、その追加記事を本文終わり符号の後のトレーラ部に書き込むことが可能である。しかし、レイアウト処理の際に、このトレーラ部に書き込まれたデータを本文中のどの列のデータと差し替えればよいかを判別する作業が繁雑となるため、実際には、オペレータが朱書訂正された紙のモニタ原稿を見ながらキーボード等の入力デバイスを操作して記事テキストデータの訂正を行うことが多い。
【００１１】
ところが、このように、記事テキストデータの訂正を行った後更に状況が変化し、記事テキストを再度訂正前の内容に戻さなければならない場合がある。しかし、この場合、訂正前の記事テキストデータは既に削除されてしまっているために、オペレータは前と同じ入力作業を再度行わなければならないことになる。そして、記事テキストの訂正が多数個所に及ぶ場合、このような再度の入力作業は煩雑となり、オペレータにとって多大な負担を強いるばかりか入力ミスを生じさせることにもなる。
【００１２】
本発明は上記事情に鑑みてなされたものであり、レイアウト保留記事を含む記事テキストデータに対するレイアウト処理を効率的に行うことが可能な新聞制作システムを提供することを目的としている。
【００１３】
【課題を解決するための手段】
上記課題を解決するための手段として、請求項１記載の発明は、記事テキストデータの入力及び校正作業を行う記事入力／校正端末器と、前記記事入力／校正端末器から送られてくる記事テキストデータを格納する記事サーバと、画像データの入力及び加工作業を行う画像入力／加工端末器と、前記画像入力／加工端末器から送られてくる画像データを格納する画像サーバと、前記記事サーバ及び前記画像サーバにそれぞれ格納されている記事テキストデータ及び画像データを用いてレイアウト処理を行う組版端末器と、前記組版端末器のレイアウト処理により作成された組版ファイルデータを格納する組版サーバと、を備え、これら各端末器及び各サーバがネットワークに接続されている新聞制作システムにおいて、前記記事入力／校正端末器及び前記組版端末器は、前記記事テキストデータに対してレイアウト保留開始符号及びレイアウト保留終了符号の付加を行う保留符号付加手段を有しており、前記組版端末器は、前記レイアウト処理を実行する際に、このレイアウト保留開始符号及びレイアウト保留終了符号間の記事テキストデータをレイアウト対象から除外すると共に、前記レイアウト保留開始符号及びレイアウト保留終了符号間の記事テキストデータをディスプレイに表示させないようにすることが可能なものであり、更に、前記組版端末器は、前記レイアウト保留開始符号の直後にレイアウト保留無効符号の付加を行う保留無効符号付加手段を有しており、前記レイアウト処理を実行する際に、このレイアウト保留無効符号が付加されている場合は、前記レイアウト保留開始符号及びレイアウト保留終了符号間の記事テキストデータをレイアウト対象とする、ことを特徴とする。
【００１６】
請求項２記載の発明は、請求項１記載の発明において、前記組版端末器は、前記レイアウト処理を実行する際に、前記レイアウト保留無効符号が付加されている場合に、前記レイアウト保留開始符号及びレイアウト保留終了符号間の記事テキストデータをこれらの符号及び前記レイアウト保留無効符号と共にディスプレイに表示させることが可能なものである、ことを特徴とする。
【００１７】
【発明の実施の形態】
図１は、本発明の第１の実施形態の要部構成を示すブロック図である。この図において、ネットワーク１に記事入力／校正端末器２及び組版端末器４が接続されている。なお、図９において図示した画像入力／加工端末器３や各プリンタ及び各サーバは省略してある。
【００１８】
そして、記事入力／校正端末器２は保留符号付加手段１１を有している。また、組版端末器４は、入力デバイス１２、ディスプレイ１３、グラフィカルユーザインタフェイス１４、記憶部１５、レイアウト処理手段１６、及び通信手段１８を有しており、レイアウト処理手段１６は更に保留符号付加手段１７を有している。
【００１９】
オペレータは、組版端末器４を用いて作業を行う場合、グラフィカルユーザインタフェイス１４の機能によりディスプレイ１３を見ながら入力デバイス１２を操作してレイアウト処理を行うことができるようになっている。レイアウト対象となる記事テキストデータ及びレイアウト処理後の記事テキストデータは記憶部１５に格納されるようになっており、通信手段１８は、レイアウト対象となる記事テキストデータを記事サーバ７から受信して記憶部１５に送り込み、また、レイアウト処理後の記事テキストデータを記憶部１５から取り出して組版サーバ９に送信する等の動作を行うようになっている。
【００２０】
図２は、本実施形態で用いられる記事テキストデータ列の構成例を示す説明図である。この図に示すように、記事テキストデータ列は、符号Ｔ．１〜Ｔ．ｍ＋３により示した各種の符号及び文字により構成されており、本文始め符号（Ｔ．３）から本文終わり符号（Ｔ．ｍ＋１）までの範囲がレイアウト処理の対象となる。図１における保留符号付加手段１１，１７は、このレイアウト処理範囲中にレイアウト保留開始符号（Ｔ．ｉ、Ｔ．ｋ）及びレイアウト保留終了符号（Ｔ．ｊ、Ｔ．Ｌ）を付加する機能を有するものである。そして、このようなレイアウト保留開始符号及びレイアウト保留終了符号が付加されている場合、レイアウト処理手段１６はＴ．ｉ〜Ｔ．ｊの間の記事テキストデータ、及びＴ．ｋ〜Ｔ．Ｌの記事テキストデータをレイアウト保留文字列として扱い、レイアウト対象から除外してレイアウト処理を実行するようになっている。また、オペレータは、このレイアウト保留文字列をディスプレイ１３に表示させないようにするモード（非表示モード）を自在に選択することができるようになっている。
【００２１】
図３は、レイアウト処理手段１６のレイアウト処理動作を説明するためのフローチャートである。レイアウト処理手段１６は、レイアウト保留中フラグをオフしてフラグの初期化を行い（ステップ１）、図２に示した記事テキストデータ列を電文始め符号（Ｔ．１）から１列毎に読み出しを行う（ステップ２）。次いで、レイアウト処理手段１６は、レイアウト保留中フラグがオンとなっているか否かを判別するが（ステップ３）、最初はステップ１でのオフがそのまま継続しているため、このときの判別は当然「ＮＯ」となる。そして、該当文字すなわち現在読み出しを行っている文字がレイアウト保留開始符号であるか否かを判別する（ステップ９）。いま、例えば文字Ａ１（Ｔ．４）の読み出しを行った時点であるとすると、この文字Ａ１はレイアウト保留開始符号ではないからステップ９での判別は「ＮＯ」となり、レイアウト処理手段１６は、この後記事テキストデータの全文字の処理が終了したか否かを判別する（ステップ７）。この時点では、ステップ７の判別は「ＮＯ」となるので、レイアウト処理手段１６はステップ２に戻って次の文字Ａ２（Ｔ．５）の読み出しを行う。
【００２２】
レイアウト処理手段１６は、このようにして順次文字ＡＮ（Ｔ．ｉ−１）までの読み出しを行う。そして、その後にレイアウト保留開始符号（Ｔ．ｉ）の読み出しを行うと（ステップ２）、この場合はステップ３での判別は「ＮＯ」となるがステップ９での判別は「ＹＥＳ」となる。そして、レイアウト処理手段１６は、レイアウト保留中フラグをオンにした後（ステップ１０）、この該当文字となっているレイアウト保留開始符号の除去を行う（ステップ６）。なお、このステップ６の「除去」は、実際に記憶部１５からデータを削除するのではなく、レイアウト時にレイアウト対象として扱わないようにすることを意味している。
【００２３】
この後、ステップ７での判別は「ＮＯ」となり、次の文字Ｅ１（Ｔ．ｉ＋１）の読み出しが行われる（ステップ２）。すると、ステップ３での判別は今度は「ＹＥＳ」となり、その後該当文字がレイアウト保留終了符号であるか否かを判別する（ステップ４）。文字Ｅ１は当然のことながらレイアウト保留終了符号ではないので、このステップ４での判別は「ＮＯ」となり、レイアウト処理手段１６はこの文字Ｅ１の除去を行う（ステップ６）。
【００２４】
レイアウト処理手段１６は、このようにして順次文字ＨＰ（Ｔ．ｊ−１）までの読み出しを行い、その後にレイアウト保留終了符号（Ｔ．ｊ）の読み出しを行う（ステップ２）。この場合、ステップ３での判別は「ＹＥＳ」となり、更にステップ４での判別も「ＹＥＳ」となる。そして、レイアウト処理手段１６は、レイアウト保留中フラグをオフにした後（ステップ５）、このレイアウト保留終了符号の除去を行う（ステップ６）。
【００２５】
レイアウト処理手段１６は、以下、同様にして電文終わり符号（Ｔ．ｍ＋３）までの読み出しを行う。すると、この電文終わり符号を読み出した時点におけるステップ７での判別は「ＹＥＳ」となる。そして、レイアウト処理手段１６は、それまでに読み出した記事テキストデータに対してレイアウト処理を実行する（ステップ８）。ただし、Ｔ．ｉ〜Ｔ．ｊ間のレイアウト保留開始符号及びレイアウト保留終了符号並びに文字Ｅ１…ＨＰはレイアウトされることはなく、また、Ｔ．ｋ〜Ｔ．Ｌ間のレイアウト保留開始符号及びレイアウト保留終了符号並びに文字Ｆ１…ＦＲもレイアウトされることはない。
【００２６】
図４は、レイアウト処理手段１６のディスプレイ１３に対する表示制御動作を説明するためのフローチャートである。レイアウト処理手段１６は、ディスプレイ１３に表示するために記事テキストデータを読み出し（ステップ１１）、更に、画面表示モードがレイアウト保留文字列の非表示モードになっているか否かを判別する（ステップ１２）。レイアウト保留文字列の非表示モードとは、記事テキストデータ列にレイアウト保留開始符号及びレイアウト保留終了符号が付加されている場合に、この両符号と、両符号間に挟まれている記事テキストデータとをディスプレイ１３に表示させないようにするモードであり、オペレータが自由に選択できるモードである。
【００２７】
いま、ステップ１２での判別が「ＹＥＳ」であったとすると、レイアウト処理手段１６は、記事テキストデータ中のレイアウト保留開始符号を探し（ステップ１３）、もしレイアウト保留開始符号を見つけた場合には次にレイアウト保留終了符号を探し出すようにする（ステップ１４，１５）。そして、レイアウト処理手段１６は、記事テキストデータ中のレイアウト保留開始符号からレイアウト保留終了符号までのデータについて除去を行う（ステップ１６）。なお、このステップ１６の「除去」は、上記両符号及び両符号間の記事テキストデータをディスプレイ１３に表示しないようにすることを意味しており、記憶部１５からデータを削除するわけではない。
【００２８】
ステップ１６の後、レイアウト処理手段１６は、記事テキストデータの全文字について読み出しや除去等の処理が終了したか否かを判別する（ステップ１７）。なお、ステップ１４での判別が「ＮＯ」であればレイアウト保留終了符号を探すことなく直ちにステップ１７の判別を行う。
【００２９】
ステップ１７の判別が「ＹＥＳ」であれば、レイアウト処理手段１６は、記事テキストデータをディスプレイ１３に表示させる（ステップ１８）。このときの表示は、もしレイアウト保留開始符号及びレイアウト保留終了符号が有れば、この両符号及び両符号間の記事テキストデータが除外された表示となる。一方、ステップ１７の判別が「ＮＯ」であれば、レイアウト処理手段１６はステップ１３に戻る。
【００３０】
また、ステップ１２の判別が「ＮＯ」の場合すなわちレイアウト保留文字列の非表示モードではない場合は、たとえ記事テキストデータ中にレイアウト保留開始符号及びレイアウト保留終了符号が含まれていたとしても、これら両符号を含めて全ての記事テキストデータの表示を行うようにする（ステップ１８）。
【００３１】
上記した第１の実施形態によれば、オペレータは保留符号付加手段１１，１７でレイアウト保留開始符号及びレイアウト保留終了符号を記事テキストデータ中に付加することにより、レイアウト保留したい範囲を自在に指定することができ、この指定した範囲がレイアウト対象から自動的に除外されるようにすることができる。したがって、従来のようにレイアウト保留記事を含むものと含まないものとに分けて別個の記事を作成する必要はなく、１つの記事中にレイアウト可能記事とレイアウト保留記事とを混在させることができる。また、ディスプレイ１３にはレイアウト保留記事を表示させないようにすること、あるいはレイアウト保留記事を保留符号と共に表示させるようにすることのいずれについてもオペレータが自由に選択することができる。
【００３２】
さらに、この第１の実施形態のレイアウト保留機能を次のような場合にも応用することができる。
【００３３】
（１）１つの記事中に未校閲部分が含まれていたとしても、この未校閲部分をレイアウト保留部分として校閲終了部分と共に１つの記事中に混在させることができる。
【００３４】
（２）記者あるいは事件関係者等のコメントなどをレイアウト保留部分として記事テキストデータ中に挿入することができる。
【００３５】
（３）繰り返し何度も紙面に掲載されている事件の記事の場合、通常は、それまでの経緯が省略された簡潔な記載となるが、それまでの記載をレイアウト保留部分として記事テキストデータ中に記録として残しておくことができるので、これらの経緯を随時簡単に参照することができ、記事作成その他の場合に有効に活用することができる。
【００３６】
（４）ある１つの記事を複数の地方版に掲載する場合、各地方版毎に記事内容を若干異なったものにする場合があるが、この場合の相違点をレイアウト保留部分として記事テキストデータ中に含めることができる。
【００３７】
次に、本発明の第２の実施形態につき説明する。図５は、この第２の実施形態の要部であるレイアウト処理手段１６Ａの構成を示すブロック図である。図５のレイアウト処理手段１６Ａは、図１のレイアウト処理手段１６と異なり、保留符号付加手段１７の他に保留無効符号付加手段１９を有している。
【００３８】
図６は、第２の実施形態で用いられる記事テキストデータ列の構成例を示す説明図である。図６が図２と異なる点は、レイアウト保留開始符号（Ｔ．ｉ）の後にレイアウト保留無効符号（Ｔ．ｉ＋１）が付されている点である。
【００３９】
図７は、レイアウト処理手段１６Ａのレイアウト処理動作を説明するためのフローチャートである。レイアウト処理手段１６Ａは、レイアウト保留中フラグをオフしてフラグの初期化を行い（ステップ２１）、図６に示した記事テキストデータ列を電文始め符号（Ｔ．１）から１列毎に読み出しを行う（ステップ２２）。次いで、レイアウト処理手段１６Ａは、レイアウト保留中フラグがオンとなっているか否かを判別するが（ステップ２３）、最初はステップ２１でのオフがそのまま継続しているため、このときの判別は当然「ＮＯ」となる。そして、該当文字すなわち現在読み出しを行っている文字がレイアウト保留開始符号であるか否かを判別する（ステップ３１）。いま、例えば文字Ａ１（Ｔ．４）の読み出しを行った時点であるとすると、この文字Ａ１はレイアウト保留開始符号ではないからステップ３１での判別は「ＮＯ」となる。レイアウト処理手段１６Ａは、更に該当文字がレイアウト保留終了符号であるか否かを判別するが（ステップ３３）、文字Ａ１はレイアウト保留終了符号ではないからこの判別も「ＮＯ」となる。そして、レイアウト処理手段１６Ａは、この後記事テキストデータの全文字の処理が終了したか否かを判別する（ステップ２８）。この時点では、ステップ２８の判別は「ＮＯ」となるので、レイアウト処理手段１６Ａはステップ２２に戻って次の文字Ａ２（Ｔ．５）の読み出しを行う。
【００４０】
レイアウト処理手段１６Ａは、このようにして順次文字ＡＮ（Ｔ．ｉ−１）までの読み出しを行う。そして、その後にレイアウト保留開始符号（Ｔ．ｉ）の読み出しを行うと（ステップ２２）、この場合はステップ２３での判別は「ＮＯ」となるがステップ３１での判別は「ＹＥＳ」となる。そして、レイアウト処理手段１６Ａは、レイアウト保留中フラグをオンにした後（ステップ３２）、この該当文字となっているレイアウト保留開始符号の除去を行う（ステップ２７）。なお、このステップ２７の「除去」が、実際に記憶部１５からデータを削除するのではなく、レイアウト時にレイアウト対象として扱わないようにすることを意味するのは第１の実施形態の場合と同様である。
【００４１】
この後、ステップ２８での判別は「ＮＯ」となり、次にレイアウト保留無効符号Ｅ１（Ｔ．ｉ＋１）の読み出しが行われる（ステップ２２）。すると、ステップ２３での判別は今度は「ＹＥＳ」となり、その後該当文字がレイアウト保留無効符号であるか否かの判別を行う（ステップ２４）。この判別は「ＹＥＳ」となるので、レイアウト処理手段１６Ａはそれまでオンとなっていたレイアウト保留中フラグをオフにし（ステップ３０）、該当文字であるレイアウト保留無効符号の除去を行う（ステップ２７）。レイアウト処理手段１６Ａは、この後記事テキストデータの全文字の処理が終了したか否かを判別するが（ステップ２８）、この時点ではステップ２８の判別は「ＮＯ」となるので、レイアウト処理手段１６Ａはステップ２２に戻って次の文字Ｅ１（Ｔ．ｉ＋２）の読み出しを行う。
【００４２】
レイアウト処理手段１６Ａは、次いで、レイアウト保留中フラグがオンとなっているか否かを判別するが（ステップ２３）、この判別は「ＮＯ」となるのでステップ３１の判別を行う。この該当文字Ｅ１はレイアウト保留開始符号でもなければレイアウト保留終了符号でもないので、ステップ３１，３３での判別はいずれも「ＮＯ」となり、ステップ２７での「除去」が行われることなくステップ２８に移る。つまり、文字Ｅ１はレイアウト保留開始符号とレイアウト保留終了符号との間に配置されているにもかかわらず、レイアウト保留無効符号によってレイアウト保留対象としての扱いがキャンセルされることになる。
【００４３】
さて、文字Ｅ１で全文字の処理が終了するわけではないからステップ２８の判別は「ＹＥＳ」となり、ステップ２２で次の文字Ｅ２の読み出しが行われる。レイアウト処理手段１６Ａは、このようにして順次文字ＨＰ（Ｔ．ｊ−１）までの読み出しを行い、その後にレイアウト保留終了符号（Ｔ．ｊ）の読み出しを行う（ステップ２２）。この場合、その後のステップ２３での判別は「ＮＯ」、ステップ３１での判別も「ＮＯ」となるが、ステップ３３での判別が「ＹＥＳ」となる。したがって、レイアウト処理手段１６Ａはこのレイアウト保留終了符号の除去を行った後（ステップ２７）、ステップ２８の判別を行い、このステップ２８の判別も「ＮＯ」となるのでステップ２２に戻って次の文字Ｂ１の読み出しを行う。
【００４４】
レイアウト処理手段１６Ａは、以下、同様にして電文終わり符号（Ｔ．ｍ＋３）までの読み出しを行う。すると、この電文終わり符号を読み出した時点におけるステップ２８での判別は「ＹＥＳ」となる。そして、レイアウト処理手段１６Ａは、それまでに読み出した記事テキストデータに対してレイアウト処理を実行する（ステップ２９）。この場合、文字Ｅ１（Ｔ．ｉ＋２）〜文字ＨＰ（Ｔ．ｊ−１）はレイアウト保留開始符号（Ｔ．ｉ）とレイアウト保留終了符号（Ｔ．ｊ）との間に挟まれているにもかかわらず、レイアウト保留無効符号（Ｔ．ｉ＋１）が付加されているためにレイアウト保留の扱いがキャンセルされレイアウト対象となる。一方、レイアウト保留開始符号（Ｔ．ｋ）とレイアウト保留終了符号（Ｔ．Ｌ）との間に挟まれている文字Ｆ１〜文字ＦＲは原則通りレイアウト保留対象となる。
【００４５】
図８は、レイアウト処理手段１６Ａのディスプレイ１３に対する表示制御動作を説明するためのフローチャートである。図８の動作は図４と略同様であり、ステップ４５が付加されている点が異なっている。
【００４６】
レイアウト処理手段１６Ａは、ディスプレイ１３に表示するために記事テキストデータを読み出し（ステップ４１）、更に、画面表示モードがレイアウト保留文字列の非表示モードになっているか否かを判別する（ステップ４２）。いま、ステップ４２での判別が「ＹＥＳ」であったとすると、レイアウト処理手段１６Ａは、記事テキストデータ中のレイアウト保留開始符号を探し（ステップ４３）、記事テキスト中にレイアウト保留開始符号が有るか否かの判別を行う（ステップ４４）。そして、レイアウト保留開始符号が有った場合は更にレイアウト保留無効符号が有るか否かの判別を行い（ステップ４５）、レイアウト保留無効符号がなければレイアウト保留終了符号を探し出した後（ステップ４６）、記事テキストデータ中のレイアウト保留開始符号からレイアウト保留終了符号までのデータについて除去を行う（ステップ４７）。
【００４７】
ステップ４７の後、レイアウト処理手段１６Ａは、記事テキストデータの全文字について読み出しや除去等の処理が終了したか否かを判別する（ステップ４８）。なお、ステップ４４での判別が「ＮＯ」の場合又はステップ４５での判別が「ＹＥＳ」の場合は、レイアウト保留終了符号を探すことなく直ちにステップ４８の判別を行う。
【００４８】
ステップ４８の判別が「ＹＥＳ」であれば、レイアウト処理手段１６Ａは、記事テキストデータをディスプレイ１３に表示させる（ステップ４９）。このときの表示は、もしレイアウト保留開始符号及びレイアウト保留終了符号が有り、且つレイアウト保留無効符号がなければ、レイアウト保留開始符号及びレイアウト保留終了符号の両符号並びにこの両符号間の記事テキストデータが除外された表示となる。一方、ステップ４８の判別が「ＮＯ」であれば、レイアウト処理手段１６Ａはステップ４３に戻る。
【００４９】
また、ステップ４２の判別が「ＮＯ」の場合すなわちレイアウト保留文字列の非表示モードではない場合は、たとえ記事テキストデータ中にレイアウト保留開始符号及びレイアウト保留終了符号が含まれていたとしても、これら両符号を含めて全ての記事テキストデータの表示を行うようにする（ステップ４９）。
【００５０】
上記した第２の実施形態によれば、オペレータは、ある記事に対してレイアウト保留開始符号及びレイアウト保留終了符号を付加し、この記事をレイアウト対象から除外した場合に、保留無効符号付加手段１９によってレイアウト保留開始符号の直後にレイアウト保留無効符号を付加することで、再度この記事をレイアウト対象に含めることが可能になる。したがって、一旦、レイアウト処理を行った後に状況が変化し、再度レイアウト処理をやり直さなければならない場合に、このレイアウト処理を容易且つ確実に行うことができる。
【００５１】
【発明の効果】
以上のように、本発明によれば、レイアウト保留開始符号及びレイアウト保留終了符号を付加することによりレイアウト保留したい範囲を自在に指定することができるので、１つの記事中にレイアウト可能記事とレイアウト保留記事とを混在させることができ、効率的なレイアウト処理を行うことが可能になり、また、上記のレイアウト保留開始符号及びレイアウト保留終了符号を付加してレイアウト保留した記事であっても、レイアウト保留無効符号を付加することで、このレイアウト保留をキャンセルすることができるので、状況が変化して再度レイアウト処理をやり直さなければならない場合でも、このレイアウト処理を容易且つ確実に行うことが可能になる。
【図面の簡単な説明】
【図１】本発明の第１の実施形態の要部構成を示すブロック図。
【図２】第１の実施形態で用いられる記事テキストデータ列の構成例を示す説明図。
【図３】図１におけるレイアウト処理手段１６のレイアウト処理動作を説明するためのフローチャート。
【図４】図１におけるレイアウト処理手段１６のディスプレイ１３に対するレイアウト処理動作を説明するためのフローチャート。
【図５】本発明の第２の実施形態の要部であるレイアウト処理手段１６Ａの構成を示すブロック図。
【図６】第２の実施形態で用いられる記事テキストデータ列の構成例を示す説明図。
【図７】図５におけるレイアウト処理手段１６Ａのレイアウト処理動作を説明するためのフローチャート。
【図８】図５におけるレイアウト処理手段１６Ａのディスプレイ１３に対するレイアウト処理動作を説明するためのフローチャート。
【図９】従来の新聞制作システムの構成例を示すブロック図。
【符号の説明】
１  ネットワーク
２  記事入力／校正端末器
３  画像入力／加工端末器
４  組版端末器
５  大刷プリンタ
６  版下プリンタ
７  記事サーバ
８  画像サーバ
９  組版サーバ
１０  紙面出力サーバ
１１  保留符号付加手段
１２  入力デバイス
１３  ディスプレイ
１４  グラフィカルユーザインタフェイス
１５  記憶部
１６  レイアウト処理手段
１７  保留符号付加手段
１８  通信手段
１９  保留無効符号付加手段
Ｔ．ｉ、Ｔ．ｋ  レイアウト保留開始符号
Ｔ．ｊ、Ｔ．Ｌ  レイアウト保留終了符号
Ｔ．ｉ＋１  レイアウト保留無効符号
【図１】
0003792972.tif 000002
【図２】
0003792972.tif 000003
【図３】
0003792972.tif 000004
【図４】
0003792972.tif 000005
【図５】
0003792972.tif 000006
【図６】
0003792972.tif 000007
【図７】
0003792972.tif 000008
【図８】
0003792972.tif 000009
【図９】
0003792972.tif 000010